(57)【要約】【課題】正常な足のアーチを育成することのできる履き物用中敷きを提供する。【解決手段】中敷き１は、弾性を有する樹脂により足指部分に当接する部分を除いた足裏型に形成され、足部の母子球及び小指球及び踵からなる３つの支点にそれぞれ対応して突出する面からなる支持部２ａ，２ｂ，２ｃを備える。そして、少なくとも支持部２ａ，２ｂ，２ｃの足部と接する面には、抗菌や消臭、あるいは調温やすべり抑制、装飾等の機能を有する層が設けられているとともに、中敷き１の履き物と接する面は粘着面となっている。【選択図】図１
0003171384.tif 000002
【実用新案登録請求の範囲】
【請求項１】
足部の母子球及び小指球及び踵からなる３つの支点にそれぞれ対応して突出する面からなる支持部を備えたことを特徴とする履き物用中敷き。
【請求項２】
請求項１に記載の履き物用中敷きにおいて、
足部の指部分に当接する部分が存在しないことを特徴とする履き物用中敷き。
【請求項３】
請求項１または２に記載の履き物用中敷きにおいて、
前記支持部の足部と接する面には、抗菌、消臭、調温、すべり抑制、及び装飾の少なくとも１つの機能を有する層が設けられていることを特徴とする履き物用中敷き。
【請求項４】
請求項１〜３のいずれか一項に記載の履き物用中敷きにおいて、
当該履き物用中敷きの履き物と接する面が粘着面となっていることを特徴とする履き物用中敷き。
【請求項５】
請求項１〜４のいずれか一項に記載の履き物用中敷きにおいて、
当該履き物用中敷きは弾性を有する樹脂により形成されていることを特徴とする履き物用中敷き。
【考案の詳細な説明】
【技術分野】
【０００１】
本考案は、履き物用中敷きに関する。
【背景技術】
【０００２】
足部のうち、第１中足骨の種子骨を中心とした母子球、第５中足骨の先端に位置する小指球、及び踵は、体重を支え、人体の前後左右のバランスを整える上で重要な役割を有している。
【０００３】
また、図６に示す母子球位置Ｐ１、小指球位置Ｐ２及び踵位置Ｐ３の間は、それぞれ複数の足骨によって繋がっており、それらの足骨はそれぞれ鉛直方向上方に湾曲した弓状をなしている。即ち、母子球位置Ｐ１と踵位置Ｐ３との間にある足骨は内側縦足弓Ａ１を構成し、小指球位置Ｐ２と踵位置Ｐ３との間にある足骨は外側縦足弓Ａ２を構成する。また、母子球位置Ｐ１から小指球位置Ｐ２は、横足弓Ａ３を構成する。内側縦足弓Ａ１、外側縦足弓Ａ２及び横足弓Ａ３は、いわゆる足のアーチを構成し、例えば土踏まず等の足裏面における凹状部分に相当する。
【０００４】
足のアーチは、足部のバネとしての機能を有し、身体の動きに伴い弾性変形して、足部に加わる衝撃を緩和するとともに、下腿部の筋肉の伸縮を補助する。これにより、足から心臓に向かって血液が圧送され、血行が促進される。また、足のアーチの弾性変形により、下腿部の筋力を向上させる。
【０００５】
一方、フィット感を向上させる目的で、種々の履き物用の中敷き（インソール）が開発されている。例えば特許文献１のような、土踏まずに隆起部を設ける中敷きが多数開発されている。
【先行技術文献】
【特許文献】
【０００６】
【特許文献１】特開２００３−３８２０４号公報
【考案の概要】
【考案が解決しようとする課題】
【０００７】
しかし、足裏面の凹部と中敷きとの間に形成される空間は、足のアーチが上下に弾性変形するために用いられるため、上記したように土踏まずを隆起部で埋めてしまうと、足のアーチの弾性変形を妨げてしまう。
【０００８】
本考案は、上記問題点に鑑みてなされたものであり、その目的は、正常な足のアーチを育成することのできる履き物用中敷きを提供することにある。
【課題を解決するための手段】
【０００９】
上記課題を解決するため、請求項１に記載の考案は、足部の母子球及び小指球及び踵からなる３つの支点にそれぞれ対応して突出する面からなる支持部を備えたことを要旨とする。
【００１０】
これによれば、足弓の上下方向の弾性運動を妨げないようにすることが可能となるため、正常な足のアーチを育成することができるようになる。    
請求項２に記載の考案は、請求項１に記載の履き物用中敷きにおいて、足部の指部分に当接する部分が存在しないことを要旨とする。
【００１１】
これによれば、足の指部に対する圧迫感等の負担を軽減することができるようになる。
請求項３に記載の考案は、請求項１または２に記載の履き物用中敷きにおいて、前記支持部の足部と接する面には、抗菌、消臭、調温、すべり抑制、及び装飾の少なくとも１つの機能を有する層が設けられていることを要旨とする。
【００１２】
これによれば、少なくとも前記支持部に対して、抗菌、消臭、調温、すべり抑制、及び装飾の少なくとも１つの機能を付加することが可能となり、実用上好ましいものとなる。
請求項４に記載の考案は、請求項１〜３のいずれか一項に記載の履き物用中敷きにおいて、当該履き物用中敷きの履き物と接する面が粘着面となっていることを要旨とする。  
【００１３】
これによれば、当該履き物用中敷きの使用時に、履き物から中敷きがずれることを抑制することが可能となる。
請求項５に記載の考案は、請求項１〜４のいずれか一項に記載の履き物用中敷きにおいて、当該履き物用中敷きは弾性を有する樹脂により形成されていることを要旨とする。
【００１４】
これによれば、当該履き物用中敷きの使用により、クッション性やフィット感が高まり、履き物の履き心地を向上させることが可能となる。
【考案の効果】
【００１５】
本考案にかかる履き物用中敷きによれば、正常な足のアーチを育成することが可能となる。
【図面の簡単な説明】
【００１６】
【図１】本考案を具体化した一実施形態の履き物用中敷きの平面図。
【図２】同実施形態の中敷きについて、（ａ）は、図１のＡ−Ａ線における母子球位置から小指球位置を横切る要部断面図、（ｂ）は、図１のＢ−Ｂ線における母子球位置及び踵位置を横切る要部断面図、（ｃ）は、図１のＣ−Ｃ線における小指球位置及び踵位置を横切る要部断面図。
【図３】同実施形態の中敷きを使用した足部の模式図。
【図４】同実施形態の中敷き及び足部を内側からみた模式図。
【図５】同実施形態の中敷き及び足部を外側からみた模式図。
【図６】足のアーチを説明する概念図。
【考案を実施するための形態】
【００１７】
以下、本考案を具体化した一実施形態を図１〜図５を参照して説明する。
本実施形態の履き物用中敷きは、例えば無色透明に形成され、履き物の内側に配置されて使用者の足部を足裏側から支持する。図１に示すように、中敷き１は、足指部分に当接する部分を除いた足裏型に形成され、その足裏面に相対向する面には３つの支持部２ａ，２ｂ，２ｃが足部側に突出する態様で設けられている。
【００１８】
このうち、第１支持部２ａは、足部の母子球を支持する位置（母子球位置）に設けられている。母子球は、親指の中足骨にある種子骨を中心とし、体重を支える支点の１つである。第１支持部２ａの大きさは、この種子骨の接地部分の大きさとほぼ同じ大きさに形成されている。
【００１９】
また、第２支持部２ｂは、足の小子球を支持する位置（小子球位置）に設けられている。小指球は、小指の中足骨を中心とする、体重を支える支点の１つである。第２支持部２ｂの大きさは、その中足骨の接地部分の大きさとほぼ同じ大きさに形成されている。
【００２０】
さらに、第３支持部２ｃは、足の踵を支持する位置（踵位置）に設けられている。第３支持部２ｃの大きさは、踵の接地部分とほぼ同じ大きさに形成されている。
なお、これら支持部２ａ，２ｂ，２ｃの大きさ及び位置は、母子球及び小子球及び踵の位置の個人差を吸収し得る大きさ及び位置に設定されている。
【００２１】
また、これら支持部２ａ〜２ｃの足部と接する面には、多数の円状の突起３が設けられている。そして、中敷き１は、その外周が支持部２ａ〜２ｃの外周と接するように形成されているとともに、支持部２ａ及び２ｂと支持部２ｃとの間の中央部４がくびれる形状に形成されている。これにより、ミュール等の細身の履き物に対しても適切に中敷き１を設置することが可能となっている。
【００２２】
このように構成される中敷１の立体構造について、図２を参照して詳しく説明する。
図２に示すように、中敷き１は、厚さ数ミリ（２〜３ミリ）に形成されるベース部１ａ上に、上述の支持部２ａ〜２ｃが突出するように形成されている。さらに、支持部２ａ〜２ｃ上には、上述の突起３が支持部２ａ〜２ｃの厚さ（０．５〜１ミリ）よりも薄く形成されている。
【００２３】
これらのベース部１ａ、支持部２ａ〜２ｃ、突起３は弾性を有する樹脂（エラストマー樹脂）により一体に形成されている。そして、中敷き１の足部側の面及び側面、少なくとも支持部２ａ〜２ｃの足部と接する面は、表面層５で覆われている。すなわち、支持部２ａ〜２ｃの足部と接する面における表面層５上では、突起３の形状が浮き出て足部に接することとなるため、支持部２ａ〜２ｃに対して足部が滑ることを抑制することができる。また、支持部２ａ〜２ｃを含めて中敷き１が弾性を有していることにより、クッション性やフィット感が高まり、中敷き１の使用時には履き物の履き心地もよいものとなる。さらに、これらのベース部１ａ、支持部２ａ〜２ｃ、突起３及び表面層５を含めて中敷き１が無色透明に形成されていることから、中敷き１を使用した場合でも、履き物の色やデザイン性などの美観を損なうことがない。
【００２４】
また、ベース部１ａの支持部２ａ〜２ｃと反対側の面、すなわち履き物と接する面は、微粘着性を有する粘着面１ｂとなっており、この粘着面１ｂには保護シート６が貼られている。使用時には保護シート６を剥がして履き物に中敷き１を設置することにより、履き物から中敷き１がずれることを抑制することができる。また、微粘着性であるため、貼り剥がしが容易であることから、繰り返しの使用が可能であるとともに、中敷き１を剥がす際に履き物を傷める可能性も低い。
【００２５】
そして、図２（ａ）に示すように、母子球位置の第１支持部２ａと、小指球位置の第２支持部２ｂとが形成されることにより、各支持部２ａ，２ｂの間の中敷き１の上面７は、支持部２ａ，２ｂが形成されている部分の上面よりも支持部２ａ，２ｂの厚み分だけ高さが低くなった凹部を構成する。このように母子球位置及び小指球位置の高さを、その他の領域よりも高くすると、中敷き１の使用時には、母子球及び小指球が中敷き１に当接し、母子球と小指球との間の足裏面は中敷き１に接しない状態になる。
【００２６】
同様に、図２（ｂ）に示すように、母子球位置の第１支持部２ａ及び踵位置の第３支持部２ｃの間の上面７は、支持部２ａ，２ｃが形成されている部分の上面よりも支持部２ａ，２ｃの厚み分だけ高さが低くなった凹部を構成する。これにより、母子球及び踵が中敷き１に当接し、母子球と踵との間の足裏面は中敷き１に接しない状態になる。
【００２７】
また同じく、図２（ｃ）に示すように、小指球位置の第２支持部２ｂと踵位置の第３支持部２ｃとの間の上面７は、支持部２ｂ，２ｃが形成されている部分の上面よりも支持部２ｂ，２ｃの厚み分だけ高さが低くなった凹部を構成する。これにより、小指球及び踵が中敷き１に当接し、小指球と踵との間の足裏面は中敷き１に接しない状態になる。 
【００２８】
次に、このように構成される本実施形態の履き物用中敷きの作用について、図３〜図５を参照して説明する。
図３に示すように、各支持部２ａ〜２ｃは、母子球位置、小指球位置及び踵位置でそれぞれ足部を支持する。これらの各支持部２ａ〜２ｃには体重がそれぞれ集中して加わり、その他の領域に加わる荷重は少ないため、３つの支点で身体を支持することにより、前後左右のバランスを整えることができる。特に扁平足等、平面状の中敷きでは体重の３点支持が適切にできない場合でも、本実施形態の中敷き１によれば、その突出した各支持部２ａ〜２ｃにより、３点支持を行うことができる。したがって、足元が安定して転倒を抑制することができるとともに、足首関節が安定して膝や腰への負担を軽減することも可能となる。特に女性用の履き物等、踵部分が高く形成されている履き物に使用すると有効である。
【００２９】
ここで、この各支持部２ａ〜２ｃによる３点支持と足弓の弾性運動との関係について説明する。母子球位置から踵位置には、図４に示す種子骨５０、図３に示す第１中足骨５１、楔状骨５２、舟状骨５３、距骨５４、踵骨５５等があり、これらの足骨は、鉛直方向上方に湾曲する内側縦足弓１１を構成している。また、同図３に示すように、小指球位置から踵位置には、第五中足骨５６、立方骨５７、踵骨５５等があり、これらの足骨は鉛直方向上方に湾曲する外側縦足弓１２を構成している。そして、母子球位置及び小指球位置の間には、各指の中足骨と基節骨との間の関節が位置し、これらは鉛直方向上方に湾曲する横足弓１３を構成している。
【００３０】
図４に示すように、本実施形態の中敷き１を使用して履き物を履いた場合、母子球を構成する種子骨５０は、足裏の筋肉等を介して母子球位置に設けられた第１支持部２ａによって下方から支持される。また、踵５５ａは踵位置に設けられた第３支持部２ｃによって下方から支持される。さらに、図５に示すように、小指球５６ａは小指球位置に設けられた第２支持部２ｂによって下方から支持される。
【００３１】
その結果、各支点を除く足裏面全体が中敷き１の上面７に対して離間した状態となる。すなわち、足裏面のうち内側縦足弓１１（図３，図４）に対応する凹状部分と、凹状部分に相対向する中敷き１の上面７（足弓位置）との間の隙間１０が拡大される。隙間１０が拡大されることにより、土踏まずの高さが低くても、内側縦足弓１１が弾性変形するために十分なスペースが確保される。
【００３２】
また、足裏面のうち外側縦足弓１２（図３，図５）に対応する凹状部分と、凹状部分に相対向する中敷き１の上面７（足弓位置）との間の隙間１０が拡大される。この隙間１０が拡大されることにより、足裏の凹部の高さが低くても、外側縦足弓１２が弾性変形するのに十分なスペースが確保される。
【００３３】
さらに、各支持部２ａ，２ｂによって、足裏面のうち、横足弓１３（図３）に対応する凹状部分と、凹状部分に相対向する中敷き１の上面（足弓位置）との間の隙間が拡大される。この隙間によって、足裏の凹部の高さが低くても、横足弓１３が弾性変形するのに十分なスペースが確保される。これにより、例えば、扁平足の使用者が履き物を履いた場合でも、各支持部２ａ〜２ｃによって足裏全体を持ち上げることにより、足裏面と中敷き１の上面７との間に強制的に隙間１０を形成することができる。
【００３４】
このように、足裏面と中敷き１との間に、各足弓１１〜１３が弾性変形するために十分な隙間１０が形成されているため、各足弓１１〜１３の弾性運動が妨げられない。その結果、使用者の歩行等の運動によって各足弓１１〜１３が隙間１０を利用して弾性運動することにより、足部の筋肉である足背筋群、足底筋群の運動や、踵骨５５に付随した踵骨腱等の伸縮が活発となり、下腿部の筋力が向上するとともに、血行が促進されるようになる。
【００３５】
また、中敷き１には、足部の指部分に当接する部分が存在しないため、指部に対する負担を軽減することができるとともに、サンダル等のつま先部分がない履き物に使用する場合でも、美観を損なうことがない。
【００３６】
以上説明したように、本実施形態の履き物用中敷きによれば、以下に列記するような効果が得られるようになる。
（１）中敷き１に足部の母子球及び小指球及び踵からなる３つの支点にそれぞれ対応して突出する面からなる支持部２ａ〜２ｃを設けるようにした。これにより、足裏面と中敷き１との間に、各足弓１１〜１３が上下運動可能するために十分な隙間１０が形成されるため、各足弓１１〜１３の弾性運動を妨げないようにすることができるようになる。したがって、各足弓１１〜１３の弾性運動により、足背筋群、足底筋群の運動や、踵骨腱等の伸縮が活発となり、下腿部の筋力が向上するとともに、血行が促進されるようになる。また扁平足の場合であっても、各支持部２ａ〜２ｃにより足裏面と中敷き１との間に強制的に隙間１０が形成されるため、足のアーチを育成することができるようになる。
【００３７】
（２）中敷き１について、足部の指部分に当接する部分が存在しないようにした。これにより、指部に対する負担を軽減することができるようになる。特に、女性用のパンプス等のようにつま先部分が細く形成されている履き物に使用した場合であっても、指部分に対して圧迫感が生じることを抑制することが可能となる。また、サンダル等のつま先部分がない履き物に使用する場合でも、美観を損なうことがない。
（３）中敷き１の足部側の面、少なくとも支持部２ａ〜２ｃの足部と接する面に、すべり抑制の機能を有する層を設けるようにした。これにより、支持部２ａ〜２ｃに対して足部が滑ることを抑制することが可能となり、特に、中敷き１を女性用の履き物等、踵部分が高く形成されている履き物に使用した場合に有効である。
【００３８】
（４）中敷き１の履き物と接する面を粘着面１ｂとした。これにより、使用時に履き物から中敷き１がずれることを抑制することが可能となる。
（５）中敷き１を、支持部２ａ〜２ｃも含めて弾性を有する樹脂により形成するようにした。したがって、中敷き１の使用により、クッション性やフィット感が高まり履き物の履き心地を向上させることが可能となる。
【００３９】
なお、上記の実施形態は、例えば以下のような形態にて実施することもできる。
・上記実施形態では、支持部２ａ〜２ｃの足部と接する面に円状の突起３を設けるようにしたが、例えば線状や図形状、模様状の突部を設けるようにしてもよい。  
【００４０】
・上記実施形態では、表面層５をすべり抑制の機能を持つものとしたが、抗菌機能を持つものや消臭機能を持つものとしてもよい。また、表面層５を毛状のものとしたり、表面層５に調温機能を持つ材料を用いたりしてもよい。さらに、表面層５を有色としたり、模様を有するものとしたりすることにより、装飾機能を持つものとしてもよい。なお、表面層５は、これらの機能を単一で有するものでもよく、複数の機能を同時に有するものでもよい。また、表面層５を有色とするにあたっては、ベース部１ａも含めて有色としてもよい。そして、このような機能を有する層は、少なくとも支持部２ａ〜２ｃの足部と接する面に設けてあればよい。すなわち、支持部２ａ〜２ｃの足部と接する面のみに設けてもよく、中敷き１の足部側の面及び側面の全面に設けるようにしてもよい。
【００４１】
・支持部２ａ〜２ｃの形状は、円形状、四角形状、三角形状等、その他の形状に形成してもよい。また、各支持部２ａ〜２ｃを、それぞれ異なる大きさ、異なる形状に形成してもよい。要は、支持部２ａ〜２ｃは、足部の母子球及び小指球及び踵からなる３つの支点にそれぞれ対応して突出する面からなるものであればよい。
【符号の説明】
【００４２】
１…中敷き、１ａ…ベース部、１ｂ…粘着面、２ａ…第１支持部、２ｂ…第２支持部、２ｃ…第３支持部、３…突起、５…表面層、１１…内側縦足弓、１２…外側縦足弓、１３…横足弓。
【図１】
0003171384.tif 000003
【図２】
0003171384.tif 000004
【図３】
0003171384.tif 000005
【図４】
0003171384.tif 000006
【図５】
0003171384.tif 000007
【図６】
0003171384.tif 000008